【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
インサート周囲表面によって接続された反対側にあるインサート上表面およびベース表面と、前記インサートベース表面に隣接し、第１、第２および第３インサート当接表面を含むインサートダブテール形滑り防止構造とを含む切削インサートであって；前記第１インサート当接表面が前記インサートベース表面と外側および鋭角の第１インサートダブテール角度を形成する第１インサートダブテール部分を含み；前記第２インサート当接表面が前記インサートベース表面と外側および鋭角の第２インサートダブテール角度を形成する第２インサートダブテール部分を含み；前記第３インサート当接表面が前記インサートベース表面と外側および鋭角の第３インサートダブテール角度を形成する第３インサートダブテール部分を含み；前記インサートベース表面に対して垂直な見た目において、前記第１インサートダブテール部分が前記第２インサートダブテール部分と平行でなく；前記切削インサートが中実構造を有し、片面切削インサートであり、前記インサート上表面および前記インサート周囲表面の交差部分に沿ってのみ切れ刃を有する、切削インサート。
【請求項２】
前記インサート周囲表面は、クランプ機能と無関係である、請求項１に記載の切削インサート。
【請求項３】
切れ刃が、コーナ刃部分の異なる側から延在する第１および第２切れ刃部分を含む、請求項１または請求項２に記載の切削インサート。
【請求項４】
前記インサートベース表面に対して垂直な見た目において、前記第１切れ刃部分が直線状であり、前記第２切れ刃部分と同じ長さであるかそれよりも長く、前記第１インサートダブテール部分と３０°以下の角度を形成する、請求項３に記載の切削インサート。
【請求項５】
前記切れ刃が、前記インサート上表面と前記インサート周囲表面との交差部分全体に沿って延在し、直線状部分を接続するコーナ刃部分を含む、請求項１〜４のいずれか一項に記載の切削インサート。
【請求項６】
前記インサートベース表面に対して垂直な見た目において、前記第１および第２インサートダブテール部分が等しい長さを有する、請求項１〜５のいずれか一項に記載の切削インサート。
【請求項７】
前記インサートベース表面に対して垂直な見た目において、前記切削インサートの前記インサートダブテール部分の全てが直線状であり、同じく前記インサートベース表面と外側および鋭角のコーナインサートダブテール角度を形成するインサートダブテールコーナによって接続され、連続した形状を形成する、請求項１〜６のいずれか一項に記載の切削インサート。
【請求項８】
前記切削インサートが主切れ刃部分を含み、前記主切れ刃部分は長さが等しく、前記インサートベース表面に対して垂直な見た目において最も長い直線状切れ刃部分であり；前記見た目において、前記切削インサートは等しい数の直線状インサートダブテール部分と主切れ刃部分とを含む、請求項１〜７のいずれか一項に記載の切削インサート。
【請求項９】
前記インサートベース表面に対して垂直な見た目において、前記切削インサートが、前記インサートベース表面に対して垂直に延在しかつその中心を通過するインサート中心軸の周りで、主切れ刃部分の数で割った３６０°に等しい回転対称を有し；前記主切れ刃部分は長さが等しく、前記インサートベース表面に対して垂直な見た目において、最も長い直線状切れ刃部分である、請求項１〜８のいずれか一項に記載の切削インサート。
【請求項１０】
１つの突出部が前記インサートベース表面から突出し、前記切削インサートの全てのインサート当接表面が前記突出部上に形成される、請求項１〜９のいずれか一項に記載の切削インサート。
【請求項１１】
前記インサートベース表面に対して垂直な見た目において、前記インサートベース表面が前記滑り防止構造を完全に取り囲む、請求項１〜１０のいずれか一項に記載の切削インサート。
【請求項１２】
前記インサートベース表面に対して垂直な見た目において、前記第３インサート当接表面が、前記第１および第２インサート当接表面が集束する場所と反対の方向に面する、請求項１〜１１のいずれか一項に記載の切削インサート。
【請求項１３】
前記切削インサートが２〜６グラムの間の重量を有する、請求項１〜１２のいずれか一項に記載の切削インサート。
【請求項１４】
前記切削インサートが、前記インサートベース表面に対して垂直に、かつ前記インサートベース表面と、それから最も遠位の前記インサート上表面上の地点との間で測定された切削部分高さを含み、前記切削インサートの重心が、前記インサートベース表面から前記切削部分高さの１２％〜３０％の間に位置付けられる、請求項１〜１３のいずれか一項に記載の切削インサート。
【請求項１５】
切削部分高さが、前記インサートベース表面に対して垂直に、かつ前記インサートベース表面と、それから最も遠位の前記インサート上表面上の最上地点との間で測定され；滑り防止構造高さが、前記切削部分高さと平行に、前記インサートベース表面から、前記インサート上表面から離れる方向に、前記切削インサートの最も遠位の最下地点まで測定可能であり；前記切削部分高さが前記滑り防止構造高さの大きさを上回る大きさを有する、請求項１〜１４のいずれか一項に記載の切削インサート。
【請求項１６】
切削部分高さが、前記インサートベース表面に対して垂直に、かつ前記インサートベース表面と、それから最も遠位の前記インサート上表面上の最上地点との間で測定され；ダブテール高さが前記インサートベース表面に対して垂直に、および前記インサートベース表面から、前記切削インサートの前記インサートダブテール部分の最も遠位の最下地点まで測定可能であり；前記ダブテール高さが前記切削部分高さの７０％未満の大きさを有する、請求項１〜１５のいずれか一項に記載の切削インサート。
【請求項１７】
前記ダブテール高さが前記切削部分高さの３０％より高い、請求項１６に記載の切削インサート。
【請求項１８】
前記切削インサートは通し穴がない、請求項１〜１７のいずれか一項に記載の切削インサート。
【請求項１９】
前記インサート当接表面のそれぞれがさらに、前記インサートダブテール部分のそれぞれ１つを前記インサートベース表面に接続する凹状接続部分を含む、請求項１〜１８のいずれか一項に記載の切削インサート。
【請求項２０】
請求項１〜１９のいずれか一項に記載の切削インサート；前後方向を定める回転軸を有する工具であって：工具切削端部；前記工具切削端部から後方に延在する工具周囲表面；前記工具切削端部に隣接するインサート着座領域；ならびに前記インサート着座領域の両側に配置された工具内側および周囲領域を含み；前記工具周囲領域が前記工具切削端部および／または前記工具周囲表面に沿って延在し；前記インサート着座領域が工具ベース表面、前記工具ベース表面から前記工具の中へ凹設されかつ少なくとも部分的に前記工具ベース表面によって取り囲まれる着座凹部、ならびに第１および第２工具当接表面を含み；前記第１工具当接表面が、前記工具ベース表面と内側および鋭角の第１工具ダブテール角度を形成する第１工具ダブテール部分を含み；前記第２工具当接表面が、前記工具ベース表面と内側および鋭角の第２工具ダブテール角度を形成する第２工具ダブテール部分を含み；工具ベース表面に対して垂直な見た目において、前記第１工具ダブテール部分が前記第２工具ダブテール部分と非平行であり；ならびに前記工具にさらに、第１端部で前記着座凹部に開口しそこから前記工具の内側に延在するクランプ孔が形成される工具；および前記クランプ孔に配置されるクランプ；を含む工具アセンブリであって、前記切削インサートが前記工具の前記インサート着座領域に：前記第１インサート当接表面が前記第１工具当接表面と当接し；前記第２インサート当接表面が前記第２工具当接表面と当接し；前記クランプが前記第３インサート当接表面と当接し；かつ前記インサートベース表面が前記工具ベース表面と当接するだけで取り付けられる、工具アセンブリ。